(57)【要約】【課題】緊急時に即座にＡＥＤ取り出しが可能な構成を維持しつつ、地震発生時にＡＥＤが収納箱から落下し難いＡＥＤ収納用箱を提供すること。【解決手段】前面開口部の垂直面に扉部を備える箱体内にＡＥＤを収納するＡＥＤ収納用箱であって、箱体奥側の床面に、垂直立ち上がり面とその上端を前面開口部方向に向けて折り曲げた奥側折り曲げ面を設け、箱体前面開口部側の床面に、前記垂直立ち上がり面よりも高い垂直立ち上がり面とその上端を箱体奥側に向けて折り曲げた前面開口部側折り曲げ面を設け、これらの奥側折り曲げ面と前面開口部側折り曲げ面の上に、ＡＥＤ載置部材を奥下がり状態に支持させた。【選択図】図１
2010194030.tif 000002
【特許請求の範囲】
【請求項１】
前面開口部の垂直面に扉部を備える箱体内にＡＥＤを収納するＡＥＤ収納用箱であって、
箱体奥側の床面に、垂直立ち上がり面とその上端を前面開口部方向に向けて折り曲げた奥側折り曲げ面を設け、
箱体前面開口部側の床面に、前記垂直立ち上がり面よりも高い垂直立ち上がり面とその上端を箱体奥側に向けて折り曲げた前面開口部側折り曲げ面を設け、
これらの奥側折り曲げ面と前面開口部側折り曲げ面の上に、ＡＥＤ載置部材を奥下がり状態に支持させたことを特徴とするＡＥＤ収納用箱。
【請求項２】
ＡＥＤ載置部材は、平板状のＡＥＤ載置面とその左右両端を同一方向に垂直に折り曲げた折り曲げ面とを備え、表裏を反転させることによりＡＥＤ載置面の高さを変えられるものであることを特徴とする請求項１記載のＡＥＤ収納用箱。
【請求項３】
前面開口部の垂直面に扉部を備える箱体の床面上にＡＥＤ載置部材を配置するＡＥＤ収納用箱であって、
ＡＥＤ載置部材は、平板状のＡＥＤ載置面と該ＡＥＤ載置面を奥下がり状態に傾斜させて保持する左右脚部からなり、
左右脚部は、ＡＥＤ載置面を垂直に折り曲げた第一折り曲げ面と、その先端を外側に垂直に折り曲げた第二折り曲げ面と、さらにその先端を垂直載置面方向に折り曲げた第三折り曲げ面とからなり、
ＡＥＤ載置面は第二折り曲げ面に対して傾斜し、
ＡＥＤ載置面と第二折り曲げ面間の垂直方向最少高さ（ｈ）と、第３折り曲げ面の垂直方向高さ（ｈ´）と、ＡＥＤ載置面１０ｇと第二折り曲げ面間の垂直方向最大高さ（ｈ´´）との間に、「ｈ´＞ｈかつ（ｈ´−ｈ）≠ｈ´´」の関係が成立し、
各足部を固定位置に保ってＡＥＤ載置面を上下反転させることによりＡＥＤ載置面の高さを変えられるものであることを特徴とするＡＥＤ収納用箱。
【請求項４】
前面開口部の垂直面に扉部を備える箱体の床面上にＡＥＤ載置部材を配置するＡＥＤ収納用箱であって、
ＡＥＤ載置部材は、平板状のＡＥＤ載置面と該ＡＥＤ載置面を奥下がり状態に傾斜させて保持する左右脚部からなり、
左右脚部は、ＡＥＤ載置面を垂直に折り曲げた第一折り曲げ面と、その先端を外側に垂直に折り曲げた第二折り曲げ面と、さらにその先端を垂直載置面方向に折り曲げた第三折り曲げ面とからなり、
ＡＥＤ載置面と第二折り曲げ面間の垂直方向最大高さ（ｈ´´）と、第三折り曲げ面の先端辺と第二折り曲げ面間の垂直方向最大高さ（ｈ´´´）との間に、「ｈ´´´＞ｈ´´かつ（ｈ´´´−ｈ´´）≠ｈ´´」の関係が成立し、
各足部の位置を交換してＡＥＤ載置面を上下反転させることによりＡＥＤ載置面の高さを変えられるものであることを特徴とするＡＥＤ収納用箱。
【発明の詳細な説明】
【技術分野】
【０００１】
本発明は自動体外式除細動器収納用箱に関するものである。
【背景技術】
【０００２】
致死性不整脈の一つである心室細動が発生した場合、一分一秒でも早く、自動体外式除細動器（以下、ＡＥＤという）等の除細動器を用いて心臓に電気ショックを行うことが必要とされる。２００４年以降、医療従事者ではない一般市民にもＡＥＤの使用が許可され、近年では、空港・駅・スポーツクラブ・学校・公共施設・企業等、人の集まる場所にＡＥＤが設置されるようになっている。
【０００３】
ＡＥＤは緊急時に使用される医療機器であるため、ＡＥＤをＡＥＤ収納箱に収納し、該収納箱からのＡＥＤ取り出しを検知して、緊急通報を行ったり、警報装置を作動させて周囲に緊急事態を報知する技術が開示されている（例えば、特許文献１）。
【０００４】
該ＡＥＤ収納箱は、緊急時に即座にＡＥＤ取り出しが可能な構成であることが必要である。当該観点から、ＡＥＤ収納箱の扉部には施錠構造を設けないこと、また、収納箱内からＡＥＤを取り出し容易にＡＥＤ載置部を設けることが通常である。
【０００５】
しかし、前記構成のＡＥＤ収納箱は、地震発生時に扉部が開き、振動によってＡＥＤが収納箱から落下しやすい問題があった。
【先行技術文献】
【特許文献】
【０００６】
【特許文献１】特開２００７−２４４８０４号公報
【発明の概要】
【発明が解決しようとする課題】
【０００７】
本発明の目的は、前記問題を解決し、緊急時に即座にＡＥＤ取り出しが可能な構成を維持しつつ、地震発生時にＡＥＤが収納箱から落下し難いＡＥＤ収納用箱を提供することである。
【課題を解決するための手段】
【０００８】
前記の課題解決を目的とする本発明のＡＥＤ収納用箱は、前面開口部の垂直面に扉部を備える箱体内にＡＥＤを収納するＡＥＤ収納用箱であって、箱体奥側の床面に、垂直立ち上がり面とその上端を前面開口部方向に向けて折り曲げた奥側折り曲げ面を設け、箱体前面開口部側の床面に、前記垂直立ち上がり面よりも高い垂直立ち上がり面とその上端を箱体奥側に向けて折り曲げた前面開口部側折り曲げ面を設け、これらの奥側折り曲げ面と前面開口部側折り曲げ面の上に、ＡＥＤ載置部材を奥下がり状態に支持させたことを特徴とするものである。
【０００９】
請求項２記載のＡＥＤ収納用箱は、請求項１記載のＡＥＤ収納用箱において、ＡＥＤ載置部材は、平板状のＡＥＤ載置面とその左右両端を同一方向に垂直に折り曲げた折り曲げ面とを備え、表裏を反転させることによりＡＥＤ載置面の高さを変えられるものであることを特徴とするものである。
【００１０】
請求項３記載のＡＥＤ収納用箱は、前面開口部の垂直面に扉部を備える箱体の床面上にＡＥＤ載置部材を配置するＡＥＤ収納用箱であって、ＡＥＤ載置部材は、平板状のＡＥＤ載置面と該ＡＥＤ載置面を奥下がり状態に傾斜させて保持する左右脚部からなり、左右脚部は、ＡＥＤ載置面を垂直に折り曲げた第一折り曲げ面と、その先端を外側に垂直に折り曲げた第二折り曲げ面と、さらにその先端を垂直載置面方向に折り曲げた第三折り曲げ面とからなり、ＡＥＤ載置面は第二折り曲げ面に対して傾斜し、
ＡＥＤ載置面と第二折り曲げ面間の垂直方向最少高さ（ｈ）と、第３折り曲げ面の垂直方向高さ（ｈ´）と、ＡＥＤ載置面１０ｇと第二折り曲げ面間の垂直方向最大高さ（ｈ´´）との間に、「ｈ´＞ｈかつ（ｈ´−ｈ）≠ｈ´´」の関係が成立し、各足部を固定位置に保ってＡＥＤ載置面を上下反転させることによりＡＥＤ載置面の高さを変えられるものであることを特徴とするものである。
【００１１】
請求項４記載のＡＥＤ収納用箱は、前面開口部の垂直面に扉部を備える箱体の床面上にＡＥＤ載置部材を配置するＡＥＤ収納用箱であって、ＡＥＤ載置部材は、平板状のＡＥＤ載置面と該ＡＥＤ載置面を奥下がり状態に傾斜させて保持する左右脚部からなり、左右脚部は、ＡＥＤ載置面を垂直に折り曲げた第一折り曲げ面と、その先端を外側に垂直に折り曲げた第二折り曲げ面と、さらにその先端を垂直載置面方向に折り曲げた第三折り曲げ面とからなり、ＡＥＤ載置面と第二折り曲げ面間の垂直方向最大高さ（ｈ´´）と、第三折り曲げ面の先端辺と第二折り曲げ面間の垂直方向最大高さ（ｈ´´´）との間に、「ｈ´´´＞ｈ´´かつ（ｈ´´´−ｈ´´）≠ｈ´´」の関係が成立し、各足部の位置を交換してＡＥＤ載置面を上下反転させることによりＡＥＤ載置面の高さを変えられるものであることを特徴とするものである。
【発明の効果】
【００１２】
本発明に係るＡＥＤ収納用箱は、前面開口部の垂直辺に扉部を備えるＡＥＤ収納用箱の箱体内にＡＥＤを保持する際、ＡＥＤを箱体内に保持する機構を、床面の一部に設けたものである。従来から床面部の端部を垂直に立ち上げる処理が行われていたが、本発明では、該従来の床面の端部構成に、更に水平に折り曲げる構成を追加し、かつ、垂直に立ち上げ位置に関し、箱体前面開口部側を高くして箱体奥側を低くする構成を追加している。そして当該追加構成部分をＡＥＤ載置部とし、該ＡＥＤ載置部にＡＥＤ載置部材を配置してＡＥＤを保持することにより、ＡＥＤをＡＥＤ収納用箱体内で前面開口部側から奥側に向かって下向きの傾斜角度をもって保持可能にした。当該構成により、地震等により扉が開いた状態で震動を受けた場合であっても、ＡＥＤが箱体から落下し難くしている。また、当該構成の耐震構造は、ＡＥＤを特別に固定する固定部材は使用しないため、緊急時に即座にＡＥＤ取り出しが可能な構成は従来同様に維持することができる。
【００１３】
請求項２記載の発明は、ＡＥＤ載置部材の構成を、ＡＥＤ載置部材は、平板状のＡＥＤ載置面とその左右両端を同一方向に垂直に折り曲げた折り曲げ面とを備え、表裏を反転させることによりＡＥＤ載置面の高さを変えられるものとしている。一般に、ＡＥＤ収納用箱に箱体内部を視認可能とする窓部が設けられる場合には、ＡＥＤの各種サイズに応じて箱体の床面位置や窓部位置を変更する必要が生じる問題があったが、本発明の構成によれば、ＡＥＤの各種サイズに応じて箱体の床面位置や窓部位置を変更することなく、箱体内に収納されたＡＥＤを的確に視認することができる。
【００１４】
請求項３記載の発明は、前面開口部の垂直辺に扉部を備えるＡＥＤ収納用箱の箱体内にＡＥＤ載置部材を配置してＡＥＤを保持する際、ＡＥＤ載置部材の構成を、平板状のＡＥＤ載置面と該ＡＥＤ載置面を奥下がり状態に傾斜させて保持する左右脚部からなり、左右脚部は、ＡＥＤ載置面を垂直に折り曲げた第一折り曲げ面と、その先端を外側に垂直に折り曲げた第二折り曲げ面と、さらにその先端を垂直載置面方向に折り曲げた第三折り曲げ面とからなり、ＡＥＤ載置面は第二折り曲げ面に対して傾斜し、ＡＥＤ載置面と第二折り曲げ面間の垂直方向最少高さ（ｈ）と、第３折り曲げ面の垂直方向高さ（ｈ´）と、ＡＥＤ載置面１０ｇと第二折り曲げ面間の垂直方向最大高さ（ｈ´´）との間に、「ｈ´＞ｈかつ（ｈ´−ｈ）≠ｈ´´」の関係が成立し、各足部を固定位置に保ってＡＥＤ載置面を上下反転させることによりＡＥＤ載置面の高さを変えられるものとしている。本発明の構成によれば、単一のＡＥＤ載置部材のみを用いて、各種サイズのＡＥＤに対し、従来のＡＥＤ収納用箱に耐震対策を施すことができる。
【００１５】
請求項４記載の発明は、前面開口部の垂直辺に扉部を備えるＡＥＤ収納用箱の箱体内にＡＥＤ載置部材を配置してＡＥＤを保持する際、ＡＥＤ載置部材の構成を、平板状のＡＥＤ載置面と該ＡＥＤ載置面を奥下がり状態に傾斜させて保持する左右脚部からなり、左右脚部は、ＡＥＤ載置面を垂直に折り曲げた第一折り曲げ面と、その先端を外側に垂直に折り曲げた第二折り曲げ面と、さらにその先端を垂直載置面方向に折り曲げた第三折り曲げ面とからなり、ＡＥＤ載置面と第二折り曲げ面間の垂直方向最大高さ（ｈ´´）と、第三折り曲げ面の先端辺と第二折り曲げ面間の垂直方向最大高さ（ｈ´´´）との間に、「ｈ´´´＞ｈ´´かつ（ｈ´´´−ｈ´´）≠ｈ´´」の関係が成立し、各足部の位置を交換してＡＥＤ載置面を上下反転させることによりＡＥＤ載置面の高さを変えられるものとしている。本発明の構成によれば、単一のＡＥＤ載置部材のみを用いて、各種サイズのＡＥＤに対し、従来のＡＥＤ収納用箱に耐震対策を施すことができる。
【図面の簡単な説明】
【００１６】
【図１】実施形態１のＡＥＤ収納用箱の扉部を除いた箱体部分の全体図である。
【図２】図１の側面断面図である。
【図３】実施形態２のＡＥＤ収納用箱の扉部が開いた全体図である。
【図４】図３のＡＥＤ収納用箱にＡＥＤが収納された全体図である。
【図５】図４の側面断面図である。
【図６】実施形態２のＡＥＤ収納用箱の扉部が開いた全体図である。
【図７】図６のＡＥＤ収納用箱にＡＥＤが収納された全体図である。
【図８】図７の側面断面図である。
【図９】実施形態３のＡＥＤ収納用箱に配置されるＡＥＤ載置部材の全体図である。
【図１０】実施形態３のＡＥＤ収納用箱に配置されるＡＥＤ載置部材の全体図である。
【図１１】実施形態４のＡＥＤ収納用箱に配置されるＡＥＤ載置部材の全体図である。
【発明を実施するための形態】
【００１７】
以下に本発明の好ましい実施形態を示す。
（実施形態１）
図１には、本実施形態のＡＥＤ収納用箱のうち、扉部を除いた箱体部分の全体図を示している。図２は図１の側面断面図を示している。
本実施形態は、箱体１の前面開口部の垂直辺２に扉部（図１には図示せず）を備えるＡＥＤ収納用箱の床面部３の一部を加工して形成した載置面にＡＥＤを載置するものである。
【００１８】
本実施形態の床面部３は、図１に示すように、箱体奥側で床面部３を床面から垂直方向に折り曲げた奥側垂直立ち上がり面３ａと、該奥側垂直立ち上がり面３ａを前面開口部方向に向けて折り曲げた奥側折り曲げ面３ｂを備えている。また、箱体前面開口部側で、床面部３を床面から垂直方向に折り曲げた前面開口部側垂直立ち上がり面３ｃと、該開口部側垂直立ち上がり面３ｃを箱体背面方向に向けて折り曲げた前面開口部側折り曲げ面３ｄを備えている。図２に示すように、前面開口部側垂直立ち上がり面３ｃは、奥側垂直立ち上がり面３ａよりも高く立ち上がっている。
【００１９】
したがって、奥側折り曲げ面３ｂと前面開口部側折り曲げ面３ｄにＡＥＤ載置板等のＡＥＤ載置部材を配置してＡＥＤを載置する場合、ＡＥＤは、前面開口部側折り曲げ面３ｄ側から奥側折り曲げ面３ｂに向けて下降する傾斜角を持って載置される。
【００２０】
本発明は、このようにＡＥＤを箱体奥側４に傾けて配置することにより、地震等により扉が開いた状態で震動を受けた場合であっても、ＡＥＤが箱体からの落下し難い構造を実現するものである。
【００２１】
（実施形態２）
図３および図６には、請求項３の発明に係るＡＥＤ収納用箱の扉部が開いた全体図を示している。図４には図３のＡＥＤ収納用箱にＡＥＤが収納された全体図を示し、図５には図４の側面断面図を示している。また、図７には図６のＡＥＤ収納用箱にＡＥＤが収納された全体図を示し、図８には図７の側面断面図を示している。
【００２２】
本実施形態は、実施形態１のＡＥＤ収納用箱の箱体内に、高さ調節可能なＡＥＤ載置部材５を配置したものである。
【００２３】
以下、本実施形態のＡＥＤ載置部材５の構成を図３および図６を参照して説明する。
本実施形態のＡＥＤ載置部材５は、ＡＥＤ載置面５ｅと該ＡＥＤ載置面５ｅを保持する左右脚部から構成される。開口部からみて箱体の右側面側に位置する右脚部は、ＡＥＤ載置面５ｅ右端を垂直に折り曲げた垂直折り曲げ面５ａと、該垂直折り曲げ面から更に箱体の右側面部側に向けた右端部折り曲げ面５ｂを備えている。箱体の左側面側に位置する左脚部は、ＡＥＤ載置面左端を垂直に折り曲げた垂直折り曲げ面５ｃと、該垂直折り曲げ面から更に箱体の左側面部側に向けた左端部折り曲げ面５ｄを備えている。
【００２４】
本実施形態のＡＥＤ載置部材５を箱体１内に配置する方法としては、ＡＥＤ載置面５ｅがＡＥＤ載置部３ｄ、３ｂに架設されるようにする方法（図３〜図５）と、左右端部折り曲げ面５ｂ、５ｄが前記箱体床面に設けられたＡＥＤ載置部３ｄ、３ｂに架設されるようにする方法（図６〜図８）がある。
【００２５】
ＡＥＤの高さサイズが大きい場合には、図４に示すように、ＡＥＤ載置面５ｅをＡＥＤ載置部３ｄ、３ｂに架設して配置すればよい。一方、ＡＥＤの高さサイズが小さい場合には、図７に示すように、左右端部折り曲げ面５ｂ、５ｄをＡＥＤ載置部３ｄ、３ｂに架設して配置すればよい。このように、ＡＥＤの高さサイズに応じて、適宜ＡＥＤ載置部材５の配置方向を変更させることにより、該ＡＥＤ収納箱に収納された各種サイズのＡＥＤを、扉部７に設けた窓部８から的確に視認することができる。
【００２６】
なお、本実施形態は、実施形態１のＡＥＤ収納用箱の箱体内に、高さ調節可能なＡＥＤ載置部材５を配置したものである。したがって、図５および図８に示すように、奥側折り曲げ面３ｂと前面開口部側折り曲げ面３ｄに架設されるＡＥＤ載置部材５は、前面開口部側折り曲げ面３ｄ側から奥側折り曲げ面３ｂに向けて下降する傾斜角を有し、該ＡＥＤ載置部材のＡＥＤ載置面５ｅに載置されるＡＥＤも、同様の傾斜角をもって箱体内に収納され、前記実施形態１と同様の耐震効果を発揮することができる。
【００２７】
（実施形態３）
図９および図１０には、請求項４の発明に係るＡＥＤ収納用箱に配置されるＡＥＤ載置部材の全体図を示している。
【００２８】
本発明の上記実施形態１、２においては、ＡＥＤ収納用箱の床面の背面側と前面側にそれぞれ段差を設けたＡＥＤ載置部を形成することにより、ＡＥＤを傾斜して保持可能としている。これに対し、本実施形態では、箱体の床面部は通常の水平面とし、該水平の床面上に配置してＡＥＤを載置するＡＥＤ載置部材のＡＥＤ載置面自体に傾斜角度をもたせる構造としている。
【００２９】
以下、本実施形態のＡＥＤ載置部材１０の構成を図９および図１０を参照して説明する。本実施形態のＡＥＤ載置部材１０は、ＡＥＤ載置面１０ｇと該ＡＥＤ載置面１０ｇを奥下がり状態に傾斜させて保持する左右脚部から構成される。開口部からみて箱体の右側面側に位置する右脚部は、ＡＥＤ載置面１０ｇ右端を垂直に折り曲げた右側第一折り曲げ面１０ａと、該右側第一折り曲げ面１０ａから更に箱体の右側面部側に向けて折り曲げた右側第二折り曲げ面１０ｂと、該右側第二折り曲げ面１０ｂから更に垂直に折り曲げた右側第三折り曲げ面１０ｃを備えている。箱体の左側面側に位置する左脚部は、ＡＥＤ載置面１０ｇ左端を垂直に折り曲げた左側第一折り曲げ面１０ｄと、該左側第一折り曲げ面１０ｄから更に箱体の左側面部側に向けて折り曲げた左側第二折り曲げ面１０ｅと、該左側第二折り曲げ面１０ｅから更に垂直に折り曲げた左側第三折り曲げ面１０ｆを備えている。更に、ＡＥＤ載置面１０ｇは第二折り曲げ面１０ｂ、１０ｅに対して傾斜し、ＡＥＤ載置面１０ｇと第二折り曲げ面間の垂直方向最少高さｈと、第３折り曲げ面の垂直方向高さｈ´と、ＡＥＤ載置面１０ｇと第二折り曲げ面間の垂直方向最大高さｈ´´との間に、「ｈ´＞ｈかつ（ｈ´−ｈ）≠ｈ´´」の関係が成立し、各足部を固定位置に保ってＡＥＤ載置面を上下反転させることによりＡＥＤ載置面の高さを変えることが可能な構造を有している。
【００３０】
本実施形態のＡＥＤ載置部材１０を箱体（図示せず）内に配置する方法としては、左右の第二折り曲げ面１０ｂ、１０ｅが床面部３と接する向きに配置されるようにする方法（図１０）と、左右の第三折り曲げ面１０ｃ、１０ｆの水平方向末端辺が床面部３と接する向きに配置されるようにする方法（図９）がある。
【００３１】
本実施形態のＡＥＤ載置部材１０を箱体（図示せず）内に配置することにより、箱体には特別の加工をすることなく、実施形態１、２と同様の耐震効果を発揮することができる。また、図９、図１０に示すように、ＡＥＤの高さサイズに応じて、ＡＥＤ載置部材１０を、箱体内で前後方向に反転させることにより、ＡＥＤ収納箱に収納された各種サイズのＡＥＤを、窓部から的確に視認することができる。
【００３２】
（実施形態４）
実施形態３では、箱体内でＡＥＤ載置部材１０を前後方向に反転させて前記効果を発揮する形体を説明したが、箱体内でＡＥＤ載置部材１０を左右方向に反転させて前記効果を発揮する形体とすることもできる。
【００３３】
箱体体内でＡＥＤ載置部材１０を左右方向に反転させて前記効果を発揮するためには、図１１に示すように、ＡＥＤ載置部材の構造を、平板状のＡＥＤ載置面１１ｇと該ＡＥＤ載置面１１ｇを奥下がり状態に傾斜させて保持する左右脚部からなり、左右脚部は、ＡＥＤ載置面１１ｇを垂直に折り曲げた第一折り曲げ面１１ａ、１１ｄと、その先端を外側に垂直に折り曲げた第二折り曲げ面１１ｂ、１１eと、さらにその先端を垂直載置面方向に折り曲げた第三折り曲げ面１１c、１１fからなり、第二折り曲げ面１１ｂ、１１eに対するＡＥＤ載置面の傾斜角がθ、第二折り曲げ面１１ｂ、１１eに対する第三折り曲げ面の先端辺の傾斜角が２θ以上が好ましく、ＡＥＤ載置面１１ｇと第二折り曲げ面１１ｂ、１１e間の垂直方向最大高さ（ｈ´´）と、第三折り曲げ面１１cの先端辺と第二折り曲げ面１１ｂ、１１e間の垂直方向最大高さ（ｈ´´´）との間に、「ｈ´´´＞ｈ´´かつ（ｈ´´´−ｈ´´）≠ｈ´´」の関係が成立する構造とすればよい。
【符号の説明】
【００３４】
１  箱体
２  開口部垂直辺
３  床面部
３ａ  奥側垂直立ち上がり面
３ｂ  奥側折り曲げ面
３ｃ  前面開口部側垂直立ち上がり面
３ｄ  前面開口部側折り曲げ面
４  箱体奥側
５  ＡＥＤ載置部材
５ａ  垂直折り曲げ面
５ｂ  右端部折り曲げ面
５ｃ  垂直折り曲げ面
５ｄ  左端部折り曲げ面
５ｅ  ＡＥＤ載置面
６  側面部
７  扉部
８  窓部
９  ＡＥＤ
１０  ＡＥＤ載置部材
１０ａ  右側第一折り曲げ面
１０ｂ  右側第二折り曲げ面
１０ｃ  右側第三折り曲げ面
１０ｄ  左側第一折り曲げ面
１０ｅ  左側第二折り曲げ面
１０ｆ  左側第三折り曲げ面
１０ｇ  ＡＥＤ載置面
１１  ＡＥＤ載置部材
１１ａ  右側第一折り曲げ面
１１ｂ  右側第二折り曲げ面
１１ｃ  右側第三折り曲げ面
１１ｄ  左側第一折り曲げ面
１１ｅ  左側第二折り曲げ面
１１ｆ  左側第三折り曲げ面
１１ｇ  ＡＥＤ載置面
【図１】
2010194030.tif 000003
【図２】
2010194030.tif 000004
【図３】
2010194030.tif 000005
【図４】
2010194030.tif 000006
【図５】
2010194030.tif 000007
【図６】
2010194030.tif 000008
【図７】
2010194030.tif 000009
【図８】
2010194030.tif 000010
【図９】
2010194030.tif 000011
【図１０】
2010194030.tif 000012
【図１１】
2010194030.tif 000013